(57)【要約】【課題】送風機を内包することで接触による不安感をなくしつつ、筺体を可動させる空間を設けることなく送風範囲を広くとることができる送風装置を提供することを目的とする。【解決手段】本発明によれば、送風機２によって発生した送風の風向方向に沿って延出し、断面視長片状となるノズル３を備えた送風装置１において、前記ノズル３は、風向方向に沿って延出するダクト３１と、断面視長片状の延在方向の端部にダクト３１と外部とを貫通するスリット３２とを備え、ノズル３が円周上に沿うように間隔を空けて複数配置され、ノズル３のスリット３２が設けられた側が外側に配置され、前記スリット３２が設けられた短片に対向する他の短片側が円周の内側に向かうように配置された構成としたことによって、筺体を可動させることなく、送風装置１の可動空間を廃し、送風範囲を広く取ることができる。【選択図】図１
2018091156.tif 000002
【特許請求の範囲】
【請求項１】
送風機によって発生した送風の風向方向に沿って延出し、断面視長片状となるノズルを複数備えた送風装置において、前記ノズルは、風向方向に沿って延出するダクトと、断面視長片状の延在方向の端部にダクトを貫通するスリットとを備え、前記ノズルが円周上に沿うように間隔を空けて複数配置され、前記ノズルの前記スリットが設けられた側が円周上の外側に配置され、前記スリットが設けられた短片に対向する他の短片側が前記円周の内側に向かうように配置されていることを特徴とする送風装置。
【請求項２】
複数の前記ノズルが円周上に沿うように等間隔に配置された、請求項１に記載の送風装置。
【請求項３】
複数の前記ノズルのうち、隣接する少なくとも２つ以上の前記ノズルの前記スリットより送風することを特徴とする請求項１または２に記載の送風装置。
【請求項４】
隣接する少なくとも２つ以上の前記ノズルから送風している場合、送風している当該隣接する２つ以上の前記ノズルと対向する位置にある他の隣接する少なくとも２つ以上の前記ノズルも送風することを特徴とする請求項３に記載の送風装置。
【請求項５】
送風機によって発生した風を通風させる通風口を形成する通風台座を備え、前記ノズルは、通風台座より垂直方向に起立するように設けられている請求項１から４に記載の送風装置。
【請求項６】
前記ノズルの側面のうち、前記スリットが設けられた一方の端部の側面よりダクト内に向かって立設されるリブが、複数設けられていることを特徴とする請求項１から５に記載の送風装置。
【請求項７】
前記ノズルの側面に設けられた複数の前記リブは、前記ダクト内に送風される風に対して、より下流側に配置される前記リブがノズルの延在方向とリブの成す角度がより小さくなるように設けられていることを特徴とする請求項６に記載の送風装置。
【発明の詳細な説明】
【技術分野】
【０００１】
送風装置および送風機能付空気清浄装置
【背景技術】
【０００２】
従来、この種の送風装置は、羽根車とモータを台座となる基部に内包して、基部上部に備えられた円環形状の送風部から床面と水平方向に吹出すようにして空気の循環及び空気の流れを生じさせる家庭用送風装置が知られている。
【０００３】
以下、従来の送風装置について図９および図１０を参照しながら説明する。
【０００４】
図９には、送風機組立体２００をその斜視図を、図１０には、基部２１６の断面図を示している。
【０００５】
送風機組立体２００は、中央開口部２０２を画定する環状ノズル２０１を有している。環状ノズル２０１は口２１２を有し、送風機組立体２００が口２１２から放出する空気流に外部空気を引き込むようにする中央開口部２０２を構成するように軸Ｘ回りに伸びている。また、環状ノズル２０１は、その表面に空気流を沿わせて空気流を軸Ｘ方向へ差し向けるよう配置され、かかる表面は、気流の下流側へ向けて軸Ｘから遠ざかるテーパ状のディフューザ部２３２とディフューザ部２３２から見ての下流側に位置するとともにこのディフューザ部２３２に対して前記テーパ状よりも広角に角度をなしたガイド部２３３とを有している。
【０００６】
また、図１０に示すように、送風組立体２００は、下部に配される基部２１６の内部に、空気流を生じさせるモータ２２２を有しており、モータ２２２から鉛直下方に伸びるモータ回転シャフト２２３にインペラ（羽根車）２３０が連結され、モータ２２２は、電気接続部及び電源に接続され、複数個の風量選択ボタン２２０により、ユーザは、送風機組立体２００を操作することができる。
【０００７】
また、送風組立体２００は、基部２１６よりも下方に、基部２１６のケーシング下部２１７と連結する首振りシャフト２４２を含む首振り機構２４０を備えている。基部２１６は首振り機構２４０と首振りシャフト２４２のみと連結し、首振り機構２４０は首振りシャフト２４２が首振りモータ２４１に対しクランクアーム機構を含む結合プレート２４３により連結されている。モータ２２２と同様に首振りモータ２４１も電気接続部及び電源に接続され、複数個の首振り選択ボタン２４４により、ユーザは送風組立体２００の首振り動作を操作することができる。
【０００８】
上記構成で、送風機組立体２００は、以下のように動作する。
【０００９】
ユーザが図９に示す複数個の風量選択ボタン２２０の中から任意のボタンを選択してモータ２２２が起動されると、空気が図１０に示す空気入口２２４を介して送風機組立体２００内に吸い込まれる。空気は、インペラ（羽根車）２３０により昇圧され、内部通路２１０を通って環状ノズル２０１まで送られ、口２１２から一次空気流として放出される。このとき、一次空気流はディフューザ部２３２の表面を沿うようにして流れることで軸Ｘ方向へ差し向けられる。また、一次空気流は、口２１２の周辺の外気空気を引き込むとともに、その外気空気の移動により環状ノズルの外縁部周りの空気が引き込まれることで生じる二次空気流を伴い、中央開口部２０２から軸Ｘ方向へ全空気流を放出する。ユーザは風量選択ボタン２２０により送風組立体２００から放出される風量を任意に選択できる。
【００１０】
また送風機組立体２００から放出される空気流の送風範囲は軸Ｘ方向へ中央開口部２０２の面積範囲で限定されるが、ここでユーザが図１０に示す首振り選択ボタン２４４の中から任意のボタンを選択することで、首振り機構２４０を駆動させ、すなわち首振りモータ２４１が起動されると、首振りモータ２４１にクランクアーム機構を含む結合プレート２４３を介して連結した首振りシャフト２４２が回転することにより、基部２１６より上部の送風組立体２００が軸Ｙを軸に回転し、すなわち送風範囲が軸Ｙを軸に水平方向に回転することで、ユーザは送風範囲を任意に調整できる（例えば、特許文献１参照）。
【先行技術文献】
【特許文献】
【００１１】
【特許文献１】特開２０１０−２０３４５０号公報
【発明の概要】
【発明が解決しようとする課題】
【００１２】
従来の送風装置では、送風範囲を可変させる場合、送風組立体２００が軸Yを中心に回転するため送風装置の可動部である首振り部の可動空間を別途設ける必要があるという課題を有していた。したがって、居室内における送風装置の配置場所が限られているときには、送風装置の可動部である首振り部の可動空間を設けられず、送風範囲の可変が不可になるおそれがある。
【００１３】
そこで、本発明は、上記従来の課題を解決するものであり、送風装置の可動空間を廃し、送風範囲を広くとることができる送風装置を提供することを目的とする。
【課題を解決するための手段】
【００１４】
そして、この目的を達成するために、本発明は、送風機によって発生した送風の風向方向に沿って延出し、断面視長片状となるノズルを備えた送風装置において、前記ノズルは、風向方向に沿って延出するダクトと、断面視長片状の延在方向の端部にダクトと外部とを貫通するスリットとを備え、前記ノズルが円周上に沿うように間隔を空けて複数配置され、前記ノズルの前記スリットが設けられた側が外側に配置され、前記スリットが設けられた短片に対向する他の短片側が前記円周の内側に向かうように配置されていることを特徴とする送風装置としたものであり、これにより所期の目的を達成するものである。
【発明の効果】
【００１５】
本発明によれば、送風機によって発生した送風の風向方向に沿って延出し、断面視長片状となるノズルを備えた送風装置において、前記ノズルは、風向方向に沿って延出するダクトと、断面視長片状の延在方向の端部にダクトと外部とを貫通するスリットとを備え、前記ノズルが円周上に沿うように間隔を空けて複数配置され、前記ノズルの前記スリットが設けられた側が外側に配置され、前記スリットが設けられた短片に対向する他の短片側が前記円周の内側に向かうように配置されていることを特徴とする送風装置としたことによって、筺体を可動させることなく、送風装置の可動空間を廃し、送風範囲を広く取ることができる送風装置を提供することができる。
【図面の簡単な説明】
【００１６】
【図１】本発明実施の形態１に係る送風装置を概略的に示す斜視図
【図２】図1の送風装置を水平方向の断面で切った平面図
【図３】本発明の実施の形態１に係る送風装置の構造体を示す斜視図
【図４】図２および図３に示すＡ断面で切ったときの送風装置断面部分拡大図
【図５】本発明の実施の形態１に係る送風装置のノズル断面図
【図６】本発明の実施の形態１に係る送風装置の一例を示す斜視図
【図７】本発明の実施の形態２に係る送風装置を示す斜視図
【図８】図７の送風装置を水平方向の断面で切った平面図
【図９】従来技術の一例を示す斜視図
【図１０】従来技術の一例を示す断面図
【発明を実施するための形態】
【００１７】
本発明の請求項１に係る送風装置は、送風機によって発生した送風の風向方向に沿って延出し、断面視長片状となるノズルを備えた送風装置において、前記ノズルは、風向方向に沿って延出するダクトと、断面視長片状の延在方向の端部にダクトと外部とを貫通するスリットとを備え、前記ノズルが円周上に沿うように間隔を空けて複数配置され、前記ノズルの前記スリットが設けられた側が外側に配置され、前記スリットが設けられた短片に対向する他の短片側が前記円周の内側に向かうように配置された構成を有する。
【００１８】
この構成により、全周に風を吹き出すノズルを有するため、風向を可変させるための可動部を廃して、送風装置の可動空間を設けることなく、送風装置から広範囲に送風できるという効果を奏する。
【００１９】
また、請求項２に係わる送風装置は、複数の前記ノズルが円周上に沿うように等間隔に配置された構成を有する。
【００２０】
この構成により、ノズルから吹き出す風およびノズル間の間隙からの誘引空気流が合成された均一な風量の風をどの位置でも送風できるという効果を奏する。
【００２１】
また、請求項３に係わる送風装置は、複数の前記ノズルのうち、隣接する少なくとも２つ以上の前記ノズルの前記スリットより送風することを特徴とするものである。
【００２２】
この構成により、隣接する少なくとも２つ以上のノズルのスリットから送風する場合、送風するノズルと隣合うノズル間の間隙から誘引空気流を形成し、さらに、その他円周状に位置する前記ノズル間の間隙も送風するノズルの誘引風路として利用し周囲の空気を送風するノズル方向から吹き出す空気流へと集めることができるため、送風するノズルから吹き出す誘引空気流の風量を多くでき、風量の多い送風を行うことができるという効果を奏する。
【００２３】
また、請求項４に係わる送風装置は、隣接する少なくとも２つ以上の前記ノズルから送風している場合、送風している当該隣接する２つ以上の前記ノズルと対向する位置にある他の隣接する少なくとも２つ以上の前記ノズルも送風することを特徴とするものである。
【００２４】
これにより、送風するノズルと隣り合うノズル間の間隙を誘引風路として誘引空気流を形成し、さらに、その他円周状に位置する前記ノズル間の間隙も送風するノズルの誘引風路として利用し周囲の空気を送風するノズル方向へ集めることができるため、送風するノズルから吹き出す誘引空気流の風量を多くでき、風量の多い送風を行うことができる。さらに、送風を行う隣接する少なくとも２つ以上のノズルが対向する位置にあることで、それらの間に位置する送風を行わないノズル間の間隙を、それぞれ誘引風路として利用し、送風するノズルに対して誘引空気流を多く得ることができる。したがって、隣接する少なくとも２つ以上のノズルと送風している当該隣接する２つ以上の前記ノズルと対向する位置にある他の隣接する少なくとも２つ以上の前記ノズルは吹出す風による誘引空気流を多く得られ、異なる２方向に対して同時に風量の多い送風が行えるという効果を奏する。
【００２５】
また、請求項５に係わる送風装置は、送風機によって発生した風を通風させる通風口を
形成する通風台座を備え、前記ノズルは、通風台座より垂直方向に起立するように設けられており、いることを特徴とするものである。
【００２６】
これにより、通風させたい通風口を任意に設定することで送風機から供給される風を送風するノズルを変えることができるので、筺体の可動域を設けることなく送風方向を変えることができるという効果を奏する。
【００２７】
また、請求項６に係わる送風装置は、前記ノズルの側面のうち、前記スリットが設けられた一方の端部の側面よりダクト内に向かって立設されるリブが、複数設けられていることを特徴とするものである。
【００２８】
これにより、吹出口から吹き出す風がリブによって区画、整流され、吹出口ごとに風を送風することで風向が安定した風を提供することができるという効果を奏する。
【００２９】
また、請求項７に係わる送風装置は、ノズルの側面に設けられた複数のリブは、先端がノズルの延在方向と逆方向に傾斜して存在し、前記ダクト内に送風される風に対して、より下流側に配置される前記リブがノズルの延在方向とリブ先端との成す角度がより小さくなるように設けられていることを特徴とするものである。
【００３０】
これにより、リブで区画され風量が一様になり、吹出口から吹き出す風のムラを抑えた均質な風を提供することができるという効果を奏する。
【００３１】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して二度目以降の説明を省略している。
【００３２】
（実施の形態１）
以下、本発明の実施の形態を図面に基づいて説明する。ただし、以下に示す実施の形態は、本発明の技術思想を具体化するための送風装置を例示するものであって、本発明は送風装置を以下のものに特定しない。また、特許請求の範囲に示される部材を、実施例の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００３３】
最初に、図１を用いて本実施の形態に係る送風装置１の構成について説明する。
図１に示すように、送風装置１は送風機２から起立させた複数のノズル３（本実施の形態では１０本）を備えている。このとき、送風機２は、例えば図１に示すように、通風台座６の内部に内包される構成であってもよい。通風台座６は送風機によって発生した風を通風させる通風口６１を形成しており、ノズル３は通風台座６上面から起立している。通風台座６の上面には、ノズル３を起立させる位置を確定する通風口６１が形成されている。ノズル３は内部にダクト３１を備えている。
【００３４】
図２に示すように、ノズル３は、断面視長片状で、延在方向の端部にダクト３１と外部
とを貫通するスリット３２を備えている。スリット３２が設けられた側が外側に配置され、スリット３２が設けられた短片に対向する他の短片側が円周の内側に向かうように配置されている。また、複数のノズル３は、円周上に沿うように所定の間隔を空けて複数配置されている。図２に示すように例えば、等間隔に間隔を空けて配置される。この間隙によって、スリットから吹出す吹出空気流８に誘引される空気の誘引風路９がそれぞれのノズル３間に形成され誘引空気流１２を送風することになる。つまり、本実施の形態ではノズル３を１０本設けているので、ノズル３に挟まれた空隙にそれぞれ誘引風路９がノズル３の数と等しい１０本形成できる。
【００３５】
通風台座６には、図１に示されるように送風機２から発生した風が向かうノズル３を選択する遮蔽板１０が内蔵されている。図３は、通風台座６および遮蔽板１０を取り出したものである。通風台座６および遮蔽板１０について、形状の一例を示している。遮蔽板１０は所定の厚みを有し、送風機２からの風圧によって容易に変形しない素材を用いることが望ましい。遮蔽板１０は通風台座６の内部に配置され、通風台座６の天面の内側に当接するように設置される。遮蔽板１０には通風口６１と形状の等しい開口１０１が空けられている。開口１０１が形成されている部分と開口１０１が形成されていない遮蔽部１０２とで構成され、円周方向に並んだそれぞれの開口１０１は、通風口６１と一致する位置に設けられており、開口１０１と通風台座６の通風口６１が一致するところから上部のノズル内のダクト３１へ向かって送風が可能である。
【００３６】
また、図４は、図１に示す送風装置１をＡ断面で切った断面図である。Ａ―Ａ´断面は図２おおよび図３に示す断面である。図４に示すように通風台座６の天面の内側に当接するように設置された遮蔽板１０が、天面の内側において、一方は、遮蔽部１０２と通風口６１が面しており、一方は、開口１０１と通風口６１とが対向している。そのため通風台座の内部では、送風機から送られてきた風が内部流れ１３として存在し、遮蔽部１０２と通風口６１が面しているところでは、ノズル３内のダクト３１へ通風されず、開口１０１と通風口６１が面してるところでは、ノズル３内のダクト３１へ通風されるようになっている。
【００３７】
また、ノズル３内のスリット３２近傍には、図５に示すようにノズル３の起立方向の風向を調整する風向調整リブ３３が備えられている。風向調整リブ３３はスリット３２が設けられた一方の端部の側面よりダクト３１内に向かって立設され複数設けられている。送風機２に近い下方では、下方の送風機２からの風は上方へ向かって吹出す傾向が強いため、複数のリブは、図５に示すように例えば、ダクト３１内に送風される風に対して、より下流側に配置されるリブを送風方向とリブの成す角度がより小さくなるように設けられている。上記構成によれば、送風装置１が稼動すると、送風機２から発生した風は通風台座６内を通って、通風台座６内部の遮蔽板１０によって選択された、複数の通風口６１を通って複数のノズル３内部のダクト３１へと連通する。ダクト３１へと流入した風は、スリット３２付近に備えられた風向調整リブ３３でノズル３の起立方向の風向を調整され、スリット３２から吹出空気流８として吹き出される。そして、吹出空気流８によって、ノズル３間隙の誘引風路９から空気が誘引され、誘引空気流１２となる。これら、吹出空気流８と誘引空気流１２が送風装置１の吹出方向前方で合流し全空気流となり広範囲に略均一な風速の面気流として送風できるものである。
【００３８】
また、このとき、送風機２の羽根車は、通風台座６内に内包した構成としてもよく、この場合、使用者が外部から接触できない構造となっており、接触による不安感をなくすことができる。
【００３９】
また、図６に示すように遮蔽板１０は回転可能にしてもよい。遮蔽板１０を回転可能にすることで、遮蔽板１０の開口１０１に対応する通風台座６の通風口６１の位置を変える
ことができる。これにより、遮蔽板１０の開口１０１位置に風を出したい方向に合わせてやる事で風が出る方向を変えることができる。また継続的に回転させる場合は、送風範囲が回転に合わせてより滑らかに切り替わるように、図６に示すような隣り合う開口１０１の間隙を無くした遮蔽板１０を用いてもよい。遮蔽板１０をＺ方向に回転させると、遮蔽板１０の開口１０１と通風台座６の通風口６１が一致する位置が、Ｚ方向へ切り替わっていくため、吹出す風も遮蔽板１０に合わせてＺ方向に全周にわたって移り変わっていく。この際、図６に示す形状の遮蔽板１０を用いることで、開口１０１部分に位置するノズル３から吹き出すとともに、回転によって通風する開口１０１の切り替えもより滑らかに行われる。したがって、スリット３２から吹き出す風の円周方向の切り替えがより滑らかになり、吹き出す風が断続的になることなく、滑らかに全周方向へ送風できる。
【００４０】
このようにして、筺体１５を稼動させることなく、送風装置１の稼動空間を廃して送風範囲を広く取ることができる。
【００４１】
なお、本実施の形態では、使用するノズルの選択に遮蔽板１０を用いているが、遮蔽板１０はあくまでノズル３の開閉を行う一例に過ぎない。使用するノズル３の選択には、それぞれの開口に独立したシャッターをつけて、使用の有無によってシャッターの開閉を使用者が選択できる構造にしても良い。
【００４２】
また、遮蔽板１０の形状については、図１、図３または図６に示す形状でなくてもよく、例えば、すべての通風口６１に対して開口１０１を設けてやれば、全周に対して送風を行う形態となる。開口１０１と通風口６１が一致するところでダクト３１へ通風され、遮蔽部１０２によって、ダクト３１への通風を妨げる機能を有するものを遮蔽板１０としている。
（実施の形態２）
以下、本発明の実施の形態２について図７および図８を参照しながらその構成の詳細を説明する。
【００４３】
実施の形態２において、実施の形態１と同一の構成要件については同一の符号を付し、その詳細な説明は省略する。
【００４４】
図７は送風装置２１の斜視図、図８は送風装置を水平方向の断面で切った平面図である。
【００４５】
図７に示すように、ノズル３は、床２２と連接し、床２２の内部の空間２３に送風機２が備えられている。通風口６１の内側には遮蔽板１０が備えられており、遮蔽板１０は隣接する２つ以上のノズル３内のダクト３１と、それに対向した位置にある他の隣接する少なくとも２つ以上のノズル３内のダクト３１と連結する位置に、開口１０１が設けられたものである。
【００４６】
上記構成によれば、送風装置２１が稼動すると、送風機２から発生した風は、床２２内部を通過して通風口６１の内側に備えられたそれぞれ対向する位置にある隣接する少なくとも２つ以上の開口１０１から吹出される。これにより、図８に示すように、全周で見ると、ある二方向の送風範囲Ｘ，Ｙについて送風が行われる。この際、それぞれのノズルが吹出空気流を形成すると、送風を行うノズルと隣合うノズル間の間隙を誘引風路として、誘引空気流を形成するだけでなく、送風が行われないノズルの間隙も誘引風路として利用し、誘引空気流を多く形成できる。したがて、送風方向を二方向に限定することで吹出空気流８および誘引空気流１２の量が多く、風量の多い送風を行うことができる領域を二方向に形成できる。
【００４７】
このようにして、筺体を稼動させることなく、送風装置２１の可動空間を廃して、送風範囲を広範囲に取ることができる。
【産業上の利用可能性】
【００４８】
本発明にかかる送風装置および送風機能付空気清浄装置は、羽根車を内包することで使用者の接触による不安感をなくしつつ、広範囲に略均一な風速の気流を提供でき、また筐体を可動させることなく送風範囲の調整ができるため、体感温度の減少や室内空気の循環等に使用される各種送風機器等として有用である。
【符号の説明】
【００４９】
１  送風装置  
２  送風機
３  ノズル
６  通風台座
８  吹出空気流
９  誘引風路
１０  遮蔽板
１２  誘引空気流
１３  内部流れ
２１  送風装置
２２  床
２３  空間
３１  ダクト
３２  スリット
３３  風向調整リブ
６１  通風口
１０１  開口
１０２  遮蔽部
【図１】
2018091156.tif 000003
【図２】
2018091156.tif 000004
【図３】
2018091156.tif 000005
【図４】
2018091156.tif 000006
【図５】
2018091156.tif 000007
【図６】
2018091156.tif 000008
【図７】
2018091156.tif 000009
【図８】
2018091156.tif 000010
【図９】
2018091156.tif 000011
【図１０】
2018091156.tif 000012